(57)【要約】【課題】時分割マルチキャリア通信装置は多数の信号処理部を有し、その状態表示に多数のＬＥＤを必要とする。【解決手段】キャリア毎にキャリア別バス６を設け、これに各キャリアに対応する複数の信号処理部１０を接続する。キャリア別バス６には状態表示部１２も接続され、これを複数の信号処理部１０で共用する。バス制御部８は各信号処理部１０に同期タイミング信号を送り、各信号処理部１０はこれを基準として、それぞれ予め設定されたオフセット時間を計時する。オフセット時間は各信号処理部１０で互いに異なるように設定され、そのオフセット時間に達した信号処理部１０が状態表示部１２を用いて状態表示を行うことにより、状態表示部１２が時分割で順次利用される。【選択図】        図１
2005045360.tif 000002
【特許請求の範囲】
【請求項１】
複数の情報チャネルを伝送可能な時分割マルチキャリア通信装置において、
複数のキャリア又は複数のタイムスロットに対応して設けられた複数の信号処理部と、
前記複数の信号処理部それぞれの状態を時分割で表示する状態表示部と、
を有することを特徴とする時分割マルチキャリア通信装置。
【請求項２】
請求項１に記載の時分割マルチキャリア通信装置において、
前記キャリア毎に設けられ、前記複数の信号処理部が接続される複数のバスを有し、
前記複数の信号処理部は、前記各キャリア毎に割り当てられた前記複数の情報チャネルに対してそれぞれ設けられ、
前記複数の状態表示部は、前記各バスに接続され、前記複数の信号処理部で共用されること、
を特徴とする時分割マルチキャリア通信装置。
【請求項３】
請求項２に記載の時分割マルチキャリア通信装置において、
前記各バス毎に設けられ、当該バスに接続された前記各信号処理部に共通の同期タイミング信号を周期的に与える同期信号発生部を有し、
共通の前記バスに接続された前記複数の信号処理部は、
それぞれ互いに異なるオフセット時間を予め設定され、前記同期タイミング信号からの当該オフセット時間の経過に応じて前記バスへのアクセスを要求するアクセス要求手段と、
前記バスへのアクセス期間内に前記状態表示部へ当該信号処理部の状態を通知する状態通知手段と、
を有することを特徴とする時分割マルチキャリア通信装置。
【請求項４】
請求項３に記載され、前記各キャリアは前記複数の情報チャネルに対応する複数のタイムスロットを含んだフレームを連続的に伝送する時分割マルチキャリア通信装置において、
前記同期信号発生部は、前記フレームに同期して前記同期タイミング信号を発し、
前記各信号処理部から前記バスへのアクセス期間は、当該信号処理部に対応する前記情報チャネルの前記タイムスロットに同期して設定されること、
を特徴とする時分割マルチキャリア通信装置。
【請求項５】
請求項４に記載の時分割マルチキャリア通信装置において、
前記フレームは、さらに制御チャネルに対応するタイムスロットを含み、
前記状態表示部は、前記各信号処理部それぞれの前記バスへのアクセス期間のうち一部期間においてのみ当該信号処理部の状態を表示すること、
を特徴とする時分割マルチキャリア通信装置。
【請求項６】
各キャリア毎にそれぞれ複数の情報チャネルに対応して設けられた複数の信号処理部を備えて複数の情報チャネルを伝送可能な時分割マルチキャリア通信装置の動作方法において、
共通の前記キャリアに対応する複数の前記信号処理部が、前記複数の情報チャネルに対応する複数のタイムスロットにて順次動作するステップと、
当該キャリアに対し設けられた状態表示部が、前記複数のタイムスロットに同期して、当該各タイムスロットにて動作する前記信号処理部の状態を順次表示するステップと、
を有することを特徴とする動作方法。
【発明の詳細な説明】
【０００１】
【発明の属する技術分野】
本発明は、時分割マルチキャリア通信装置に関し、特に装置の状態表示に関する。
【０００２】
【従来の技術】
高速かつ大量にデータ伝送を行う無線通信方式として、時分割マルチキャリア伝送方式が提案されている。時分割マルチキャリア伝送方式は、複数の搬送波（キャリア）を用い、また各キャリアが時分割多重化方式で利用される。一方、送信されるべきデータも時間軸方向に分割され、この分割により得られるデータのセグメントが、キャリアのタイムスロットに格納されて伝送される。この方式では、複数の情報チャネル（複数チャネルのデータ）を同時並列的に伝送することができる。
【０００３】
このように複数の情報チャネルを同時に取り扱うため、一般には、データセグメントの生成やその他、データに対する信号処理を行うために、情報チャネル毎に信号処理部が設けられる。また、信号処理はキャリアによっても異なり得るので、キャリア毎にも信号処理部は分けられる。そのため、時分割マルチキャリア通信装置では、多数の信号処理部を並列に動作させることが行われる。
【０００４】
これら信号処理部の動作状態を把握するために、例えばＬＥＤ（Ｌｉｇｈｔ  Ｅｍｉｔｔｉｎｇ  Ｄｉｏｄｅ）等の状態表示手段が用いられる。従来は、各信号処理部の状態をそれぞれ把握するために、信号処理部それぞれにＬＥＤが設けられていた。
【０００５】
なお、下記特許文献１は、データ通信装置における複数の通信状態を１個のＬＥＤで表示する構成を開示する。この構成では、複数の通信状態のうちいずれかが選択的に実現され、その状態がＬＥＤを点灯するか否か、又は点滅周期を変えることによって識別可能に表示される。
【０００６】
【特許文献１】
特開平５−７５６７２号公報
【０００７】
【発明が解決しようとする課題】
上述の従来の構成では、信号処理部の数に相当するＬＥＤが必要となる。そのため、コスト及び消費電力が増加するという問題が生じる。さらには、ＬＥＤを設けるために必要な基板実装スペースが増大するため、通信装置の小型化が制約されるという問題があった。
【０００８】
また、特許文献１の構成のようにＬＥＤの点滅状態を変えることは、一般的に、複数の状態を識別するために有効な方法である。しかし、時分割マルチキャリア通信装置では上述のように複数の信号処理部が並列に動作しており、よって表示すべき状態も同時並列的に存在し得るという点で、特許文献１のデータ通信装置とは事情が異なる。すなわち、特許文献１が示すような、選択的に実現される複数の状態を識別表示する構成は、時分割マルチキャリア通信装置の複数の信号処理部の状態を表示するのには不都合がある。
【０００９】
本発明は上述の問題点を解決するためになされたものであり、時分割マルチキャリア通信装置の同時並列的に動作する複数の信号処理部それぞれの状態を、少ない表示素子で好適に表示することを可能とする。
【００１０】
【課題を解決するための手段】
本発明に係る時分割マルチキャリア通信装置は、複数のキャリア又は複数のタイムスロットに対応して設けられた複数の信号処理部と、前記複数の信号処理部それぞれの状態を時分割で表示する状態表示部と、を有する。
【００１１】
別の本発明に係る時分割マルチキャリア通信装置は、前記キャリア毎に設けられ、前記複数の信号処理部が接続される複数のバスを有し、前記複数の信号処理部が、前記各キャリア毎に割り当てられた前記複数の情報チャネルに対してそれぞれ設けられ、前記複数の状態表示部が、前記各バスに接続され、前記複数の信号処理部で共用される。
【００１２】
キャリア毎にバスを設けることにより、複数のキャリアに対する同時並列的な処理が円滑に行われる。本発明によれば、バス毎に状態表示部が設けられ、当該バスに接続される複数の信号処理部で当該状態表示部を共用することにより、状態表示部の数を信号処理部より少なくすることができる。状態表示部と信号処理部とはバスを介して接続されるので、各信号処理部から状態表示部への個別の配線は不要であり、回路構成が簡素となる。状態表示部は時分割で複数の信号処理部から共用される。
【００１３】
他の本発明に係る時分割マルチキャリア通信装置は、前記各バス毎に設けられ、当該バスに接続された前記各信号処理部に共通の同期タイミング信号を周期的に与える同期信号発生部を有し、共通の前記バスに接続された前記複数の信号処理部は、それぞれ互いに異なるオフセット時間を予め設定され、前記同期タイミング信号からの当該オフセット時間の経過に応じて前記バスへのアクセスを要求するアクセス要求手段と、前記バスへのアクセス期間内に前記状態表示部へ当該信号処理部の状態を通知する状態通知手段と、を有する。
【００１４】
本発明によれば、バスに接続された各信号処理部の状態表示が、同期タイミング信号毎に繰り返され、また、各同期タイミング毎での各信号処理部の状態表示は、オフセット時間に応じた所定の順序で切り換えられる。
【００１５】
また他の本発明に係る時分割マルチキャリア通信装置は、前記各キャリアは前記複数の情報チャネルに対応する複数のタイムスロットを含んだフレームを連続的に伝送するものであって、前記同期信号発生部が、前記フレームに同期して前記同期タイミング信号を発し、前記各信号処理部から前記バスへのアクセス期間が、当該信号処理部に対応する前記情報チャネルの前記タイムスロットに同期して設定される。
【００１６】
別の本発明に係る時分割マルチキャリア通信装置においては、前記フレームが、さらに制御チャネルに対応するタイムスロットを含み、前記状態表示部が、前記各信号処理部それぞれの前記バスへのアクセス期間のうち一部期間においてのみ当該信号処理部の状態を表示する。
【００１７】
本発明によれば、制御チャネルに対応するタイムスロットでは、状態表示部は例えば状態を表示しないようにすることにより、共通のバスに接続された複数の信号処理部の状態表示が１周期毎に区切られる。すなわち、１セットの信号処理部の状態表示の始まりと終わりをユーザが認識しやすく、それに伴い、あるタイミングの状態表示が何番目の信号処理部の状態を表すものかを認識しやすい。
【００１８】
本発明に係る時分割マルチキャリア通信装置の動作方法は、共通のキャリアに対応する複数の信号処理部が、複数の情報チャネルに対応する複数のタイムスロットにて順次動作するステップと、当該キャリアに対し設けられた状態表示部が、前記複数のタイムスロットに同期して、当該各タイムスロットにて動作する前記信号処理部の状態を順次表示するステップとを有する。
【００１９】
【発明の実施の形態】
以下、本発明の実施の形態（以下実施形態という）について、図面に基づいて説明する。図１は、本発明の実施形態に係る時分割マルチキャリア通信装置の主要部の模式的な構成図である。この図には、本装置の信号処理部に関連する部分の回路構成が示されている。本装置は、４キャリアを用い、１キャリア当たり３つの情報チャネルを伝送できる構成の例である。また各キャリアの１フレームが４つのタイムスロットからなる時分割多重を行う例を示しており、これら４つのタイムスロットのうち１つが制御チャネルに対応するタイムスロット（制御用スロットＣＳ）として使われ、残り３つが情報チャネルに対応するタイムスロット（通信用スロットＤＳ）として使われる。メインバス２には、本装置の全体的な制御を行うＣＰＵ（Ｃｅｎｔｒａｌ  Ｐｒｏｃｅｓｓｉｎｇ  Ｕｎｉｔ）４及び、キャリア毎に設けられた複数のキャリア別バス６が接続される。各キャリア別バス６にはそれぞれ、当該バスを制御するバス制御部８、通信用スロットの数に対応した３つの信号処理部１０、及び状態表示部１２が接続される。状態表示部１２はＬＥＤ及びこれを駆動する駆動回路を含んで構成される。
【００２０】
フレームを構成する４つのタイムスロットは、先頭が第１通信用スロットＤＳ１であり、これに第２、第３通信用スロットＤＳ２，ＤＳ３、及び制御用スロットＣＳが順に続く。第１〜第３通信用スロットはそれぞれ第１〜第３の信号処理部（ＤＳＰ）１０−１〜１０−３により使用される。
【００２１】
本装置では、１つの状態表示部１２が３つの信号処理部１０により共用され、それら信号処理部１０が正常に動作しているか否かを状態表示する。この状態表示の動作について以下説明する。図２は、状態表示部１２のＬＥＤの点滅のタイミング図である。同図において、横軸は時間を表し、縦軸はＬＥＤが点灯状態か消灯状態かを示すものであり、図示された矩形状の波形が立ち上がっている期間がＬＥＤが点灯される期間に相当する。
【００２２】
図３は、状態表示の動作を説明するフロー図である。ＣＰＵ４は、装置の動作開始に先だって、メインバス２及びキャリア別バス６を介して、各信号処理部１０に所定のオフセット時間を設定する。具体的には、第１の信号処理部１０−１にオフセット時間Ｔ１、第２の信号処理部１０−２にオフセット時間Ｔ２、第３の信号処理部１０−３にオフセット時間Ｔ３がそれぞれ設定される。なお、ここではＴ１＝０、また、Ｔ２は通信用スロットの時間幅Ｗに合わせて設定され、Ｔ３は２Ｗに設定される。すなわち、ここではオフセット時間は通信用スロットの開始タイミングに一致する。また、各信号処理部１０には点滅動作を制御するための時間的パラメータとして後述するＬＥＤ点滅開始時間ｓ、及びＬＥＤアクセス時間ｅを予め設定することができる。
【００２３】
装置が通信動作を開始すると、各キャリアの各信号処理部１０にはフレームの開始タイミングに同期して周期的に同期タイミング信号が与えられる（Ｓ１００）。例えば、バス制御部８が同期タイミング信号を発生し、キャリア別バス６に送出するように構成される。各信号処理部１０は、同期タイミング信号を受信すると、その時点を基準タイミングＳとして計時を開始する。
【００２４】
そして、その基準タイミングからの経過時間が、それぞれ設定されたオフセット時間に達すると、信号処理部１０は状態表示部１２のＬＥＤを点滅させるための動作を開始する。例えば、信号処理部１０−１は基準タイミングからＴ１だけ経過するとＬＥＤを点滅させるための動作を開始する（Ｓ１０５）。その動作において、信号処理部１０は通信用スロットの一部の期間だけＬＥＤを点滅させることにより、隣接する通信用スロットを利用する信号処理部１０同士のＬＥＤの点滅期間を分離させる。図４を用いて上述のＬＥＤ点滅開始時間ｔｓ及びＬＥＤアクセス時間ｔｅを利用した点滅期間の分離動作について述べる。
【００２５】
信号処理部１０は通信用スロットの開始からＬＥＤ点滅開始時間ｔｓだけ経過すると（Ｓ１１０）、キャリア別バス６の使用権を獲得し（Ｓ１１５）、状態表示部１２にアクセスしてＬＥＤを点滅させる（Ｓ１２０）。信号処理部１０はＬＥＤをＬＥＤアクセス時間ｔｅだけ点滅させた後、バス使用権を解放する（Ｓ１２５）。
【００２６】
これにより、通信用スロットの開始から時間ｔｓ経過した後、時間（ｔｓ＋ｔｅ）経過までの間だけＬＥＤが点滅され、一方、通信用スロットの開始から時間ｔｓ経過までの期間、及び時間（ｔｓ＋ｔｅ）経過後から通信用スロットの終了までの期間はＬＥＤは点滅されない。このように通信用スロットの先頭部分、又は末尾部分にＬＥＤを点滅させない期間（消灯期間）を設けることで、隣接する通信用スロットでのＬＥＤの点滅期間が互いに分離される。なお、消灯期間は、通信用スロットの先頭部分と末尾部分との両方に設けてもよいし、いずれか一方だけでもよい。図２に示す例では、ｔｓ＝０、ｔｅ＝Ｗ／２に設定され、各通信用スロットの後ろ半分だけが消灯期間となっている。
【００２７】
以上、オフセット時間Ｔ１経過（Ｓ１０５）後の信号処理部１０−１に関する動作Ｓ１１０〜Ｓ１２５を説明したが、オフセット時間Ｔ２が経過すると（Ｓ１３０）、信号処理部１０−２が動作Ｓ１１０〜Ｓ１２５と同様の動作Ｓ１３５〜Ｓ１５０を行い、その状態表示を行う。また、オフセット時間Ｔ３が経過すると（Ｓ１５５）、信号処理部１０−３が動作Ｓ１１０〜Ｓ１２５と同様の動作Ｓ１６０〜Ｓ１７５を行い、その状態表示を行う。
【００２８】
このように、異なるオフセット時間を設定することにより、各キャリア別バス６に接続された複数の信号処理部１０が競合を避けつつ、状態表示部１２を利用してそれぞれの状態表示を行う。すなわち、信号処理部１０はオフセット時間に応じた所定順序で順に動作状態を表示する。そして、これが同期タイミング信号毎、すなわちフレームの周期毎に繰り返される。ここで、信号処理部１０−３に関する第３通信用スロットに続く４番目のタイムスロットである制御用スロットでは、いずれの信号処理部１０も状態表示部１２へのアクセスを行わず、状態表示部１２はＬＥＤを点灯させない。このように、制御用スロットが消灯状態とされることにより、信号処理部１０−１〜１０−３の反復的な状態表示動作に図２に示すように１フレーム毎に区切りを設けることができる。この区切りを基準として、どのＬＥＤの点灯がどの信号処理部１０の状態表示であるかを容易に認識することができる。
【００２９】
ちなみに、ここでは、信号処理部１０は、その動作が正常である場合にはＬＥＤを点灯させ、故障時にはＬＥＤを消灯させることにより、動作状態を表示する。また、各信号処理部１０の動作状態の他の表示例として、正常時には、通信用スロット内の一定時間、持続的にＬＥＤを点灯させ、故障時には、一定時間、所定周期で明滅を繰り返したり、発光輝度を下げてもよい。また多色ＬＥＤを用い、色の異なる発光によって状態を識別可能としてもよい。
【００３０】
複数の信号処理部１０が状態表示を反復する中で、いずれの信号処理部１０の状態表示が行われているかを判別可能とする手段として、上述の構成では制御用スロットを消灯状態とすることが用いられている。これに代えて、またはこれに加えて、例えば、各信号処理部１０に対応するＬＥＤの点灯時間の長さを互いに異ならせたり、また多色ＬＥＤを用いて信号処理部１０毎に互いに異なる色で表示するといった構成が可能である。
【００３１】
さらに状態表示部１２は、単体のＬＥＤ以外でもよく、例えば、他の発光部品や７セグメント表示器などを用いることもできる。
【００３２】
【発明の効果】
本発明によれば、状態表示部の数を信号処理部の数より少なくでき、コストや消費電力が抑制されると共に、状態表示部の配置に要するスペースが小さくなり、装置の小型化が図られる。また、バス毎に状態表示部を設け、バスを介して信号処理部と接続するので、状態表示部と信号処理部とを接続する別途の配線が不要であり、例えば状態表示部及び信号処理部を同一基板上に配置する場合のレイアウトが簡素化される。この点でも装置の小型化が図られる。
【図面の簡単な説明】
【図１】本発明の実施形態に係る時分割マルチキャリア通信装置の主要部の模式的な構成図である。
【図２】状態表示部のＬＥＤの点滅のタイミング図である。
【図３】状態表示の動作を説明するフロー図である。
【図４】点滅期間の分離動作の説明図である。
【符号の説明】
２  メインバス、４  ＣＰＵ、６  キャリア別バス、８  バス制御部、１０  信号処理部、１２  状態表示部。
【図１】
2005045360.tif 000003
【図２】
2005045360.tif 000004
【図３】
2005045360.tif 000005
【図４】
2005045360.tif 000006